(57)【特許請求の範囲】
【請求項１】
ランプハウジングと、前記ランプハウジング内に内装されたランプユニットとを備える車両用灯具において、前記ランプユニットに連結されるサポートブラケットと、前記サポートブラケットに螺合され、軸転操作されたときに前記サポートブラケットをランプ前後方向に移動させるエイミングスクリュとを備えるエイミング装置であって、前記サポートブラケットは第１摺動部と第２摺動部を備え、前記ランプハウジングには第１摺動部のみを内挿した状態で前記サポートブラケットを摺動可能に保持する第１のブラケット保持体と、第１摺動部と第２摺動部を共に内挿した状態で前記サポートブラケットを摺動可能に保持する第２のブラケット保持体の両者又は一方を選択して配設したことを特徴とする車両用灯具のエイミング装置。
【請求項２】
前記第１のブラケット保持体は前記第１摺動部を内挿する樋状に形成され、前記第２のブラケット保持体は前記第１摺動部と第２摺動部を内挿する筒状に形成されていることを特徴とする請求項１に記載の車両用灯具のエイミング装置。
【請求項３】
前記ランプハウジング内には重量が異なる複数のランプユニットが内装され、低重量側のランプユニットのブラケット保持体は第１のブラケット保持体で構成され、高重量側のランプユニットのブラケット保持体は第２のブラケット保持体で構成されることを特徴とする請求項２に記載の車両用灯具のエイミング装置。
【請求項４】
前記低重量側のランプユニットはリフレクタ型ランプユニットであり、高重量側のランプユニットはプロジェクタ型ランプユニットであることを特徴とする請求項３に記載の車両用灯具のエイミング装置。
【請求項５】
前記サポートブラケットは前記第１摺動部と第２摺動部、及び前記エイミングスクリュに螺合される螺合部が一体に形成され、前記ランプユニットに連結されて球継手を構成するボール軸を支持することを特徴とする請求項１ないし４のいずれかに記載の車両用灯具のエイミング装置。  
【発明の詳細な説明】
【技術分野】
【０００１】
本発明は自動車の前照灯（ヘッドランプ）等の車両用灯具に関し、特に灯具の照射方向を調整するためのエイミング装置に関するものである。
【背景技術】
【０００２】
自動車のヘッドランプでは照射光の照射方向を上下方向及び左右方向に調整する必要があり、そのためにエイミング装置が設けられている。例えば、特許文献１の車両用灯具ではランプハウジング内に内装したランプユニットをランプハウジングの外側から上下方向及び左右方向に傾動調整可能に支持したエイミング装置を備えている。このようなエイミング装置としては、ランプユニットを１箇所においてランプハウジングに対して上下、左右のいずれの方向にも傾動可能に支持して支点部を構成するとともに、この支点部に対して水平方向に並ぶ位置と垂直方向に並ぶ位置にそれぞれ第１及び第２の２つのエイミング部を設け、これら２つのエイミング部の１つ又は２つを選択して操作することでランプユニットを上下方向及び左右方向に傾動調整する構成がとられている。また、これらのエイミング部の構成として、ランプハウジング外から内部に向けてランプ前後方向にエイミングスクリュを挿通させ、このエイミングスクリュに螺合するサポートブラケットをランプユニットに連結した構成がとられている。ランプハウジング外からエイミングスクリュを軸転操作することで、これに螺合しているサポートブラケットをエイミングスクリュの長さ方向に移動させ、サポートブラケットに連結しているランプユニットの当該連結部位をランプの前後方向に移動させ、ランプユニットを支点部を支点として傾動させることが可能である。
【０００３】
特許文献２には、このようなエイミング部を構成するエイミングスクリュとサポートブラケットが提案されている。ここではエイミングスクリュを軸転したときに、エイミングスクリュに螺合しているサポートブラケットがランプの前後方向に移動できるようにサポートブラケットをランプハウジングに対して摺動可能に支持するとともに、このサポートブラケットの一部にボール軸を一体的に設けておき、このボール軸をランプユニットの一部に嵌合してランプユニットに対する連結を行う構成であり、特にサポートブラケットに対してエイミングスクリュを螺合させる際の組み付けの容易性を図った構成が提案されている。
【先行技術文献】
【特許文献】
【０００４】
【特許文献１】特開２００８−１２３６９８号公報
【特許文献２】独国特許公開１０２００５０３７０７４
【発明の概要】
【発明が解決しようとする課題】
【０００５】
特許文献２のエイミング部の構成、特にサポートブラケットについては、サポートブラケットをランプハウジングに対してランプ前後方向に移動可能に支持させるために、サポートブラケットの両側に支持片を一体に形成し、この支持片に設けたスリットをランプハウジングの内壁にランプ前後方向に向けて一体に延長形成した支持レールに係合させる構成がとられている。そのため、連結しているランプユニットの重量がサポートブラケットに掛かり、さらにはサポートブラケットの支持片を介して支持レールに掛かることになり、これら支持片と支持レールの強度上の信頼性を考慮したときには、支持片や支持レールを厚肉の強固なものとして形成する必要がある。特に、ランプユニットを大型の投影レンズを備えた重量の嵩むプロジェクタ型ランプユニットで構成した場合には、支持片や支持レールをランプユニットの重量に耐えうるだけの強固なものに構成する必要がある。その一方で、軽量なリフレクタ型ランプユニットの場合には支持片や支持レールは相対的に小型、軽量なものに構成できる。したがって、プロジェクタ型ランプユニットとリフレクタ型ランプユニットを混在させたヘッドランプにおいて、各ランプユニットのそれぞれに対応したサポートブラケットを設計・製造したのでは部品点数が増大するとともに、その製造・管理が面倒なものとなる。また、重量の大きなプロジェクタ型ランプユニットにも耐え得るサポートブラケットを設計・製造して両ランプユニットに対して適用したのでは、リフレクタ型ランプユニットに対しては過剰な設計となり、ヘッドランプの小型化、軽量化を図る上での障害になる。
【０００６】
本発明の目的はランプユニットの重量等の規格が異なる場合においても同一構成のサポートブラケットを適用することを可能とし、サポートブラケットを含む構成部品の共用化を図って設計・製造及び管理の簡略化を図り、その一方で各ランプユニットの規格の相違に対応して必要かつ十分な強度の支持構造を構築することを可能にした車両用灯具のエイミング装置を提供するものである。
【課題を解決するための手段】
【０００７】
本発明は、ランプハウジングと、ランプハウジング内に内装されたランプユニットとを備える車両用灯具において、ランプユニットに連結されたサポートブラケットと、サポートブラケットに螺合され、軸転操作されたときにサポートブラケットをランプ前後方向に移動させるエイミングスクリュとを備えるエイミング装置であって、サポートブラケットは第１摺動部と第２摺動部を備え、ランプハウジングには第１摺動部のみを内挿した状態でサポートブラケットを摺動可能に保持する第１のブラケット保持体と、第１摺動部と第２摺動部を共に内挿した状態でサポートブラケットを摺動可能に保持する第２のブラケット保持体の両者又は一方を選択して配設したことを特徴とする。
【０００８】
例えば、第１のブラケット保持体は第１摺動部を内挿する樋状に形成され、第２のブラケット保持体は第１摺動部と第２摺動部を内挿する筒状に形成される。
【０００９】
本発明において、ランプハウジング内に重量が異なる複数のランプユニットが内装される場合には、低重量側のランプユニットのブラケット保持体は第１のブラケット保持体で構成され、高重量側のランプユニットのブラケット保持体は第２のブラケット保持体で構成される。例えば、低重量側のランプユニットはリフレクタ型ランプユニットであり、高重量側のランプユニットはプロジェクタ型ランプユニットである。
【００１０】
本発明におけるサポートブラケットは、第１摺動部と第２摺動部、及びエイミングスクリュに螺合される螺合部が一体に形成され、ランプユニットに連結されて球継手を構成するボール軸が装着される。第１摺動部は第１のブラケット保持体又は第２のブラケット保持体の内側面に弾接する弾接片を備えていることが好ましい。
【発明の効果】
【００１１】
本発明によれば、いずれも同一構成のサポートブラケットを保持することが可能な第１のブラケット保持体と第２のブラケット保持体のいずれかを選択することで、第２のブラケット保持体では高い強度でのサポートブラケットの保持が可能になり、第１のブラケット保持体では省スペースでのサポートブラケットの保持が可能になる。そのため、ランプユニットの構造、形状、重量等の違いにより第１のブラケット保持体と第２のブラケット保持体を適切に選択することで、サポートブラケットの部品点数を増加することなく、要求される強度でかつ可及的に小型化を図ったエイミング装置が構成できる。
【００１２】
ここでは、第２のブラケット保持体は第１摺動部と第２摺動部を共に内挿する筒状に形成しているので、第１摺動部と第２摺動部の２つの部位においてサポートブラケットをブラケット保持体に保持することができ、高い強度でサポートブラケットを保持することができ、高重量のランプユニットの場合でもサポートブラケットの安定した摺動が可能になり、信頼性の高いエイミング装置が構成できる。第１のブラケット保持体は第１摺動部のみを内挿する樋状に形成しているので、第２摺動部を保持するための部分が不要であり、ランプハウジングの内壁に第２ブラケット保持体を形成するためのスペースが削減でき、ランプハウジングないしランプ全体の小型化を図る上で有利になる。
【００１３】
また、本発明のサポートブラケットは、第１摺動部と第２摺動部を一体に形成しており、第１のブラケット保持体と第２のブラケット保持体のいずれに対しても保持させることが可能であるので、ランプユニットの種類に応じてブラケット保持体の構成を相違させる場合でも同一構成のサポートブラケット及びその他の構成部品を用いることができる。そのため、少なくとも異なる構成のサポートブラケットを用意する必要がなく、サポートブラケットの設計、製造、部品管理を簡略化することが可能になる。特に、第１摺動部は第１のブラケット保持体又は第２のブラケット保持体の内側面に弾接する弾接片を備えているので、いずれのブラケット保持体に対して摺動した場合でも弾接片の弾接力によって安定な状態で保持されることが可能である。
【図面の簡単な説明】
【００１４】
【図１】本発明のエイミング装置を備えたヘッドランプの一部を破断した概略正面図。
【図２】図１のヘッドランプのランプボディを前方から見た概略斜視図。
【図３】低重量ランプユニットに適用したエイミング部の部分分解斜視図。
【図４】サポートブラケットを反対側から見た斜視図。
【図５】低重量ランプユニットに適用したエイミング部の縦断面図と正面図。
【図６】高重量ランプユニットに適用したエイミング部の部分分解斜視図。
【図７】高重量ランプユニットに適用したエイミング部の縦断面図と正面図。
【発明を実施するための形態】
【００１５】
次に、本発明の実施の形態について図面を参照して説明する。図１は本発明を自動車の左側のヘッドランプＨＬに適用した実施形態の概略構成を示す一部を破断した正面図である。前面を開口した容器状をしたランプボディ１１と、このランプボディ１１の前面開口に取着した透明な前面カバー１２とでランプハウジング１が構成され、このランプハウジング１内にすれ違い用配光のロービームランプユニットＬＬＵと走行用配光のハイビームランプユニットＨＬＵがそれぞれ内装されている。ここでは、ロービームランプユニットＬＬＵは比較的に高重量であるプロジェクタ型ランプユニットで構成され、ハイビームランプユニットＨＬＵは相対的に低重量であるリフレクタ型ランプユニットで構成されている。プロジェクタ型ランプユニットとリフレクタ型ランプユニットはそれぞれ知られているランプユニットであるのでここでは詳細な説明は省略するが、プロジェクタ型ランプユニットは回転楕円型のリフレクタに投影レンズを一体化し、内部に光源を内蔵した構成である。また、リフレクタ型ランプユニットは回転放物面型のリフレクタに光源を装着した構成である。そして、これらの両ランプユニットＬＬＵ，ＨＬＵには、それぞれのランプ光軸方向、すなわち照射光の照射方向を上下方向、左右方向にそれぞれ傾動調整するためのロービームランプユニット用エイミング装置（以下、Ｌ用エイミング装置）Ｌ−ＡＩＭとハイビームランプユニット用エイミング装置（以下、Ｈ用エイミング装置）Ｈ−ＡＩＭが設けられており、前記ランプハウジング１の背面外側から手操作によって調整することができるように構成されている。
【００１６】
すなわち、前記ハイビームランプユニットＨＬＵを構成しているリフレクタ型ランプユニットは図１の正面図と図５（ａ）の一部断面図に示すように、焦点位置に光源３０としての白熱バルブや放電バルブを配置した回転放物面型の放物面リフレクタ３１の背面にエイミング支持片３２が一体に突出形成され、このエイミング支持片３２にＨ用エイミング装置Ｈ−ＡＩＭが配設されている。また、前記ロービームランプユニットＬＬＵを構成するプロジェクタ型ランプユニットは図１の正面図と図７（ａ）の一部断面図に示すように、内部に放電バルブ等の光源２０を配設した回転楕円型リフレクタ２１の前部開口に円筒状のホルダ２２にて凸レンズからなる投影レンズ２３を取着しており、このホルダ２２の外周面には外側に向けてエイミングフランジ２４が一体に形成され、このエイミングフランジ２４に前記Ｌ用エイミング装置Ｌ−ＡＩＭが配設されている。
【００１７】
Ｈ用エイミング装置Ｈ−ＡＩＭは、図１のようにヘッドランプＨＬの正面方向から見てハイビームランプユニットＨＬＵの右上側位置に支点部ＦＵＬが配設され、また下側位置に水平方向に並んで第１エイミング部ＡＩＭ１と第２エイミング部ＡＩＭ２が配設されている。右側の第２エイミング部ＡＩＭ２は前記支点部ＦＵＬの垂直方向の直下に位置されている。第１エイミング部ＡＩＭ１によりハイビームランプユニットＨＬＵの水平方向の傾動角度を調整し、第１エイミング部ＡＩＭ１と第２エイミング部ＡＩＭ２により垂直方向の傾動角度を調整することでハイビームランプユニットＨＬＵの照射方向を上下左右に調整することが可能である。
【００１８】
Ｌ用エイミング装置Ｌ−ＡＩＭは、ヘッドランプＨＬの正面方向から見てロービームランプユニットＬＬＵの左上側位置に支点部ＦＵＬが配設され、下側位置に水平方向に並んで第１エイミング部ＡＩＭ１と第２エイミング部ＡＩＭ２が配設されている。ここでは第１と第２のエイミング部の配列はＨ用エイミング装置Ｈ−ＡＩＭとは反対である。第１エイミング部ＡＩＭ１によりロービームランプユニットＬＬＵの水平方向の傾動角度を調整し、第１エイミング部ＡＩＭ１と第２エイミング部ＡＩＭ２により垂直方向の傾動角度を調整することでハイビームランプユニットＨＬＵの照射方向を上下左右に調整することは同じである。後述する説明から明らかになるように、これらＨ用エイミング装置Ｈ−ＡＩＭとＬ用エイミング装置Ｌ−ＡＩＭをそれぞれ構成する第１エイミング部ＡＩＭ１と第２エイミング部ＡＩＭ２の基本的な構成は同じであるので、同一符号を付している。
【００１９】
前記Ｈ用エイミング装置Ｈ−ＡＩＭの支点部ＦＵＬは、図１に外形を破線で示すようにハイビームランプユニットＨＬＵの前記エイミングフランジ３２の右上側箇所に一体的に固定支持されたボール軸受け２５と、図２に示されるように前記ランプボディ１１の背面壁１１にネジ固定されて当該ボール軸受け２５に嵌合するボール軸２６とで構成されている。このボール軸受け２５とボール軸２６は後述する第１及び第２のエイミング部ＡＩＭ１，ＡＩＭ２で用いるボール軸受け４１とボール軸４２と同じ構成のものを用いて部品の共用化を図っており、これらボール軸受け２５とボール軸２６とで球継手を構成し、ここを支点にしてハイビームランプユニットＨＬＵを上下方向及び左右方向に傾動可能に支持している。前記Ｌ用エイミング装置Ｌ−ＡＩＭの支点部ＦＵＬについても同様である。
【００２０】
一方、前記Ｈ用エイミング装置Ｈ−ＡＩＭの前記第１エイミング部ＡＩＭ１と第２エイミング部ＡＩＭ２は前記のようにハイビームランプＨＬＵに対する配設位置が異なる他は同じ構成である。第１エイミング部ＡＩＭ１について説明すると、図３に要部の部分分解斜視図を示すように、前記ハイビームランプユニットＨＬＵのエイミングフランジ３２の右上側箇所に固定支持されるボール軸受け４１と、このボール軸受け４１に嵌合するボール軸４２を備えるサポートブラケット４３と、前記ランプボディ１１の背面壁１１１に軸転可能に支持されて当該サポートブラケット４３に螺合するエイミングスクリュ４４を備えている。
【００２１】
エイミングスクリュ４４はランプボディ１１の背面壁１１１を貫通する挿通穴を通してヘッドランプＨＬの前後方向に向けてランプボディ１１の外側から内部に挿通されており、背面壁１１１からの脱落防止が施された上で、その長さ方向の外端近傍位置において当該背面壁１１１に軸転可能に支持されている。エイミングスクリュ４４の外端部４４１は専用治具あるいは他の手工具等によって手操作で軸転できるように角型ボス形状に形成されている。また、ランプボディ１１内に延在されるエイミングスクリュ４４の内端側の所定長さ部分には螺旋条（ねじ条）４４ａが形成されており、前記サポートブラケット４３に螺合されている。
【００２２】
前記ボール軸４２は金属材で形成されており、球状をした頭部４２１と、この頭部４２１から延長されたネジ部４２２とで構成されており、ネジ部４２２がサポートブラケット４３の前面に螺合支持される。また、前記ボール軸受け４１は樹脂成形により形成されており、内部に前記ボール軸４２の頭部４２１が嵌合される円筒部４１１と、この円筒部４１１を前記エイミングフランジ３２にネジで固定するための二股状をした支持片４１２とで構成されている。円筒部４１１には、一端部には十字型をした固定挟持片４１３が、他端部には図５（ａ）に示す花弁状をした可撓挟持片４１４がそれぞれ一体に形成され、ボール軸４２の頭部４２１を可撓挟持片４１４を弾性変形させながら固定挟持片４１３に達するまで圧入することで、当該頭部４２１を固定挟持片４１３と可撓挟持片４１４との間に挟持させ、ハイビームランプユニットＨＬＵを当該頭部４２１を支点にして上下方向及び左右方向に対して傾倒可能に支持する球継手が構成されることになる。
【００２３】
前記サポートブラケット４３は、図４に反対方向から見た斜視図にも示すように、樹脂成形により形成されており、前記エイミングスクリュ４４に螺合する円筒状をした螺合部４３３と、エイミングスクリュ４４の長さ方向に交差する方向、ここでは上下方向に並んで形成された下側の第１摺動部４３１と上側の第２摺動部４３２を有している。前記螺合部４３３はサポートブラケット４３の上側領域に配設されており、前記エイミングスクリュ４４が挿通され、かつその螺旋条４４ａが貫通状態に螺合される。また、前記ボール軸４２はこの螺合部４３３の下側領域においてサポートブラケット４３の前面にネジ部４２２がネジ結合されており、頭部４２１がサポートブラケット４３の前方に突出配置されている。
【００２４】
下側の前記第１摺動部４３１はサポートブラケット４３の下端部に設けられており、両外側に向けて突出され、かつ各先端が上方に向けて突出された一対の袖片４３１ａと、第１摺動部４３１の下端面に下方に突出した２本のレール状をした当接片４３１ｂと、袖片４３１ａの先端から内側に向けて下方に湾曲形成された２つの弾接片４３１ｃとで構成されている。また、上側の第２摺動部４３２は前記螺合部４３３の両側面から両外側に向けて突出され、かつ各先端が上方に向けて突出された三角枠状をした一対の袖片４３２ａで構成されている。前記第１摺動部４３１と第２摺動部４３２の各袖片４３１ａ，４３２ａはそれぞれの両外側への突出寸法は等しくされている。また、サポートブラケット４３を側面方向から見たときに、第２摺動部４３２は第１摺動部４３１よりもエイミングスクリュ４４の先端方向に向けて変位（オフセット）した構成とされている。
【００２５】
そして、図５（ａ）に示すように、前記ボール軸受け４１は前記ハイビームランプユニットＨＬＵのエイミングフランジ３２の一部にネジ固定され、このボール軸受け４１にはボール軸４２の頭部２１が嵌合される。これによりサポートブラケット４３はエイミングフランジ３２に対して傾倒可能に連結されることになる。そして、サポートブラケット４３は図２にも示しているように、ランプボディ１１の背面壁１１１の前記エイミングスクリュ４４の直下位置においてランプボディ１１と一体に形成した第１のブラケット保持体、ここではＨ用ブラケット保持体５１に内挿されて支持されるとともに、この内挿支持された状態で前記エイミングスクリュ４４が螺合部４３３に螺合される。
【００２６】
前記Ｈ用ブラケット保持体５１は、サポートブラケット４３の第１摺動部４３１が内挿される構成とされている。このＨ用ブラケット保持体５１はランプボディ１１の背面壁１１１の内面からランプ前方に突出して前端部が開口された所要長さの片支持構造の樋状体として構成されている。すなわち、Ｈ用ブラケット保持体５１の開口形状はサポートブラケット４３の第１摺動部４３１の形状に対応して上下が短く左右に細長く、また両端縁が内側に向けて曲げられた矩形をした樋状体として形成されている。前記サポートブラケット４３は第１摺動部４３１のみが当該開口部からＨ用ブラケット保持体５１に内挿されており、図５（ａ），（ｂ）に示すように、内挿された状態では第１摺動部４３１の各袖片４３１ａの両端部がＨ用ブラケット保持体５１の各内側面に接して左右方向の保持が行われる。また、サポートブラケット４３の下端面に設けた当接片４３１ｂがＨ用ブラケット保持体５１の内底面に当接するとともに、同じ下端面に設けた２つの弾接片４３１ｃが同じく内底面に弾接し、この弾接力を利用して第１摺動部４３１を上下方向に圧入した状態とすることで上下方向の安定な保持が行われる。
【００２７】
Ｈ用エイミング装置Ｈ−ＡＩＭの第２エイミング部ＡＩＭ２の構造は、ハイビームランプユニットＨＬＵに対する配設位置が前記した第１エイミング部ＡＩＭ１と異なる位置に配設されていることを除けば、サポートブラケット４３及びＨ用ブラケット保持体５１の構成は全く同じである。
【００２８】
Ｌ用エイミング装置Ｌ−ＡＩＭについても、Ｈ用エイミング装置Ｈ−ＡＩＭの支点部ＦＵＬ、第１エイミング部ＡＩＭ１、第２エイミング部ＡＩＭ２の構成はほぼ同じである。すなわち、図６はＬ用エイミング装置Ｌ−ＡＩＭの第１エイミング部ＡＩＭ１の分解斜視図であるが、支点部ＦＵＬを構成するボール軸受け４１とボール軸４２は同じ構成であり、また、第１と第２の各エイミング部ＡＩＭ１，ＡＩＭ２をそれぞれ構成するエイミングスクリュ４４とサポートブラケット４３も同じ構成である。したがって、主要な構成の同一部分には同一符号を付して詳細な説明は省略する。
【００２９】
その一方でサポートブラケット４３を挿入支持する第２のブラケット保持体、ここではＬ用ブラケット保持体５２は、図２にも示したようにランプボディ１１の背面壁１１１からランプ前方に向けて一体に突出形成された前端部が開口された所要長さの筒状体として構成されている。このＬ用ブラケット保持体５２の開口形状はサポートブラケット４３の外形輪郭に対応するように、下部領域は矩形で上部は円弧形をした筒状体として形成されており、この円弧状の部分の内側に前記エイミングスクリュ４４が配設されている。前記サポートブラケット４３は当該開口部からＬ用ブラケット保持体５２内に内挿されており、この内挿された状態では図７（ａ），（ｂ）に示すように、第１摺動部４３１と第２摺動部４３２の各袖片４３１ａ，４３２ａの両端部がＬ用ブラケット保持体５２の各内側面に接して左右方向の保持が行われ、サポートブラケット４３の下端面に設けた当接片４３１ｂがＬ用ブラケット保持体５２の内底面に当接するとともに、同じ下端面に設けた２つの弾接片４３１ｃが同じく内底面に弾接し、この弾接力によって第１摺動部４３１と第２摺動部４３２をＬ用ブラケット保持体５２内に圧入状態として上下方向に安定した保持が行われる。
【００３０】
Ｌ用エイミング装置Ｌ−ＡＩＭの第２エイミング部ＡＩＭ２の構造も、ロービームランプユニットＬＬＵに対する配設位置が前記した第１エイミング部ＡＩＭ１と異なる位置に配設されていることを除けば、サポートブラケット４３及びＬ用ブラケット保持体５２の構成は全く同じである。
【００３１】
以上の構成のＨ用エイミング装置Ｈ−ＡＩＭ及びＬ用エイミング装置Ｌ−ＡＩＭによるエイミング調整について説明する。まず、Ｌ用エイミング装置Ｌ−ＡＩＭについてみると、ランプハウジング１の外部での操作によってエイミングスクリュ４４が軸転されると、サポートブラケット４３は螺合部４３３での螺合によってエイミングスクリュ４４の長さ方向に移動され、ボール軸４２を介してこれに嵌合しているボール軸受け４１をランプ前後方向に移動させ、ロービームランプユニットＬＬＵを支点部ＦＵＬを支点にして傾動させる。すなわち、第１エイミング部ＡＩＭ１での調整によりロービームランプユニットＬＬＵを支点部ＦＵＬを支点にして上下方向に傾動させ、第１と第２のエイミング部ＡＩＭ１，ＡＩＭ２の調整によりロービームランプユニットＬＬＵを支点部ＦＵＬを支点にして左右方向に傾動させる。これによりロービームランプユニットＬＬＵの照射方向を調整することが可能になる。
【００３２】
このとき、サポートブラケット４３は第１摺動部４３１と第２摺動部４３２がそれぞれＬ用ブラケット保持体５２の内面に摺接し、Ｌ用ブラケット保持体５２内で内装支持された状態が保たれながら筒軸方向に摺動されることになる。そのため、サポートブラケット４３の下側と上側の２箇所でそれぞれ左右方向の支持が行われるためサポートブラケット４３に加えられる回転方向の荷重に対してもサポートブラケット４３を安定してＬ用ブラケット保持体５２内で保持する。また、サポートブラケット４３の下端面に設けた弾接片４３１ｃがＬ用ブラケット保持体５２の内底面に弾接して上下方向に圧入された状態とされることで、この弾接力によってロービームランプユニットＬＬＵの重量がかかる上下方向の保持を安定な状態に保つことができる。これにより、サポートブラケット４３は上下方向と左右方向のそれぞれにおいて強固に保持されることになり、ロービームランプユニットＬＬＵが比較的に重量のあるプロジェクタ型ランプユニットで構成され、この重量がサポートブラケット４３に加わる場合でもサポートブラケット４３を安定した状態で保持することができ、エイミング動作時にサポートブラケット４３をエイミングスクリュ４４に沿って円滑に移動させることが可能になる。
【００３３】
一方、Ｈ用エイミング装置Ｈ−ＡＩＭについてみると、エイミングスクリュ４４が軸転されることによりサポートブラケット４３がランプ前後方向に移動されることはＬ用エイミング装置Ｌ−ＡＩＭと同じであり、ボール軸４２を介してこれに嵌合しているボール軸受け４１をランプ前後方向に移動させ、ハイビームランプユニットＨＬＵを支点部ＦＵＬを支点にして傾動させることも同じである。このとき、サポートブラケット４３は第１摺動部４３１のみがＨ用ブラケット保持体５１の内面に摺接した状態で内装支持されながらＨ用ブラケット保持体５１内の筒軸方向に摺動される。このとき、サポートブラケット４３の下端面に設けた弾接片４３１ｃがＨ用ブラケット保持体５１の内底面に弾接することでのみ上下方向の支持が行われるが、ハイビームランプユニットＨＬＵはロービームランプユニットＬＬＵに比較して軽量なリフレクタ型ランプユニットで構成されているので、Ｈ用ブラケット保持体５１を樋状に形成してもハイビームランプユニットＨＬＵからサポートブラケット４３に加えられる重量は軽量であるので、第１摺動部４３１での内挿状態のみでサポートブラケット４３を安定した状態で保持し、エイミング動作時に円滑な移動が可能になる。そのため、Ｈ用ブラケット保持体５１をＬ用エイミング装置Ｌ−ＡＩＭのＬ用ブラケット保持体５２のようにサポートブラケット４３の全体を内挿して保持する筒状に形成する場合よりもＨ用ブラケット保持体５１を小型でかつ省スペースに構成できる。
【００３４】
この実施形態の説明から判るように、重量の異なるランプユニットにそれぞれ対応する複数のエイミング装置を構成する場合でも、ブラケット保持体の構成を筒型または樋型のいずれかを選択するだけでよく、その他の構成部品であるエイミングスクリュやサポートブラケットは同一部品で構成できる。したがって、部品の共通化が可能になり、部品点数を削減して部品設計・製造及び管理の簡略化が可能になる。その一方でランプユニットの重量に対応してブラケット保持体の形状を筒型または樋型のいずれかを適切に選択することによりサポートブラケットを安定して保持し、円滑なエイミング動作が確保できる。特に、高重量のランプユニットの場合でも安定な保持が可能であり、軽量のランプユニットの場合にはランプハウジング内におけるブラケット保持体の配設スペースを削減し、ヘッドランプの小型化を図ることが可能になる。さらに、サポートブラケットに設けた弾接片により自動車の車体に生じる振動を吸収してサポートブラケット、ないしランプユニットに伝達することを防止することでランプにおける耐震性を高めることも可能になる。
【００３５】
実施形態では、Ｌ用エイミング装置におけるＬ用ブラケット保持体を筒状に形成し、Ｈ用エイミング装置におけるＨ用ブラケット保持体を樋状に形成しているが、ランプユニットの重量の違い並びにランプハウジング内の余裕スペースの程度に対応して、これらブラケット保持体を筒状あるいは樋状の任意の構成を採用することが可能である。また、サポートブラケットの形状や、これに対応するブラケット保持体の形状は適宜の設計変更が可能であることは言うまでもない。特に、これらを配設する左右、上下方向の姿勢は必ずしも垂直方向あるいは水平方向に向ける必要はなく、ランプハウジング内におけるランプユニットの配設状態に対応して場合によっては傾斜した姿勢で配設することも可能である。
【産業上の利用可能性】
【００３６】
本発明は照射方向を調整するエイミング装置を備えた車両用灯具であれば、個々の具体的な構成の相違にかかわらず採用することが可能である。
【符号の説明】
【００３７】
１  ランプハウジング
１１  ランプボディ
４１  ボール軸受け
４２  ボール軸
４３  サポートブラケット
４４  エイミングスクリュ
５１  Ｈ用ブラケット保持体（第１のブラケット保持体）
５２  Ｌ用ブラケット保持体（第２のブラケット保持体）
４３１  第１摺動部
４３２  第２摺動部
ＨＬ  ヘッドランプ（車両用灯具）
ＨＬＵ  ハイビームランプユニット
ＬＬＵ  ロービームランプユニット
Ｈ−ＡＩＭ  ハイビームランプユニット用エイミング装置
Ｌ−ＡＩＭ  ロービームランプユニット用エイミング装置
ＡＩＭ１  第１エイミング部
ＡＩＭ２  第２エイミング部
【図１】
0005460447.tif 000002
【図２】
0005460447.tif 000003
【図３】
0005460447.tif 000004
【図４】
0005460447.tif 000005
【図５】
0005460447.tif 000006
【図６】
0005460447.tif 000007
【図７】
0005460447.tif 000008